(57)【要約】【課題】スピーカが配置される面に組付部材が組み付けられる場合でもスピーカの音を聞きやすくすることができる構成を提供する。【解決手段】スピーカ４７の放音口１３に対して、当該スピーカ４７からの音を当該放音口１３が形成される裏面１１ｂに沿う方向に導く導音口７３が形成される導音部７０が組み付けられており、この導音部７０を覆うように裏面１１ｂに対して組み付けられる把持部２０には、導音口７３に対向する開口２１が形成されている。【選択図】図６
2018011165.tif 000002
【特許請求の範囲】
【請求項１】
スピーカの放音口が一面に形成される携帯端末であって、
前記放音口に組み付けられて、前記スピーカからの音を前記一面に沿う方向に導く導音口が形成される導音部と、
前記導音部を覆うように前記一面に対して組み付けられる組付部材と、
を備え、
前記組付部材には、前記導音口に対向する開口が形成されることを特徴とする携帯端末。
【請求項２】
前記導音部には、前記導音口が複数形成され、
前記組付部材には、前記複数の導音口にそれぞれ対向して前記開口が複数形成されることを特徴とする請求項１に記載の携帯端末。
【請求項３】
前記組付部材は、ユーザが当該携帯端末を把持するための把持部であって、
前記開口及び前記導音口は、前記把持部を把持する前記ユーザに向かう位置に形成されることを特徴とする請求項１又は２に記載の携帯端末。
【請求項４】
前記組付部材には、前記一面とにより構成されて前記導音口及び前記開口に連通する空間と他の内部空間との間とをシールするシール材が、当該一面との間に設けられることを特徴とする請求項１〜３のいずれか一項に記載の携帯端末。
【発明の詳細な説明】
【技術分野】
【０００１】
本発明は、携帯端末に関するものである。
【背景技術】
【０００２】
情報コードを光学的に読み取るコードリーダや無線タグを非接触通信（無線通信）にて読み取る無線タグリーダ等の携帯端末では、ユーザに対して音により各種報知を行うためのスピーカが搭載される。このような携帯端末に搭載されるスピーカには、放出（放音）される音（報知音）をユーザに聞き取りやすく効率的に伝達することが求められている。
【０００３】
このようなスピーカに関する技術として、例えば、下記特許文献１に開示される携帯通信端末が知られている。この携帯通信端末は、スピーカ部を被覆する形態で、反響部と導音部とを備えた反響部材が設けられ、スピーカ部が反響部によって被覆されてなる空洞部と、ケース裏面部に形成された溝部が導音部によって被覆されてなるダクト部とが連通している。これにより、空洞部に向けて発せられたスピーカ部の音がダクト部から放出されるので、スピーカ部からの音を効率的にケース側方に放出している。
【先行技術文献】
【特許文献】
【０００４】
【特許文献１】特開２０１０−１７８０６５号公報
【発明の概要】
【発明が解決しようとする課題】
【０００５】
スピーカからの報知音により各種報知を行う携帯端末では、ユーザがスピーカの報知音を聞き取りやすくするために端末の正面にスピーカを配置することが理想であるが、この正面には操作性の観点から大型ＬＣＤ画面や多数の操作ボタンが配置されるので、通常、上記特許文献１の構成と同様に、スピーカは端末の背面に配置される。
【０００６】
ただ、携帯端末の中には、大型ＬＣＤ画面及び多数の操作ボタンに加えて別途把持部を有するガンタイプのものがあるが、そのような構成でも、上記理由により、スピーカは端末の背面に配置される。このように把持部を有する構成では、スピーカがその把持部によって塞がれる位置に配置せざるを得ない場合があり、そうすると、ユーザがスピーカからの報知音を聞き取りにくくなるという問題が生じる。
【０００７】
本発明は、上述した課題を解決するためになされたものであり、その目的とするところは、スピーカが配置される面に組付部材が組み付けられる場合でもスピーカの音を聞きやすくすることができる構成を提供することにある。
【課題を解決するための手段】
【０００８】
上記目的を達成するため、特許請求の範囲の請求項１に記載の発明は、
スピーカ（４７）の放音口（１３）が一面（１１ｂ）に形成される携帯端末（１０）であって、
前記放音口に組み付けられて、前記スピーカからの音を前記一面に沿う方向に導く導音口（７３，７３ａ，７３ｂ）が形成される導音部（７０，７０ａ）と、
前記導音部を覆うように前記一面に対して組み付けられる組付部材（２０，２０ａ）と、
を備え、
前記組付部材には、前記導音口に対向する開口（２１，２１ａ，２１ｂ）が形成されることを特徴とする。
なお、上記各括弧内の符号は、後述する実施形態に記載の具体的手段との対応関係を示すものである。
【発明の効果】
【０００９】
請求項１の発明では、スピーカの放音口に対して、当該スピーカからの音を当該放音口が形成される一面に沿う方向に導く導音口が形成される導音部が組み付けられており、この導音部を覆うように上記一面に対して組み付けられる組付部材には、導音口に対向する開口が形成されている。
【００１０】
これにより、スピーカの放音口が形成される一面に組付部材を組み付ける場合でも、スピーカからの音は、導音部の導音口及び組付部材の開口を介して上記一面に沿うように放出されるので、組付部材が邪魔になることもなく、スピーカの音を聞きやすくすることができる。
【００１１】
請求項２の発明では、導音部には、導音口が複数形成され、組付部材には、複数の導音口にそれぞれ対向して上記開口が複数形成される。これにより、スピーカからの音を上記一面に沿いそれぞれの導音口及び開口を介して複数の方向に放出する場合であっても、組付部材が邪魔になることもなくスピーカの音を聞きやすくすることができ、放音方向に関して利便性を向上させることができる。
【００１２】
請求項３の発明では、組付部材は、ユーザが当該携帯端末を把持するための把持部であって、開口及び導音口は、把持部を把持するユーザに向かう位置に形成されている。これにより、組付部材として比較的大きくなりやすい把持部を上記一面に組み付ける場合でも、スピーカからの音は、把持部を把持するユーザに向かうように開口及び導音口を介して放出されるので、当該ユーザに対してスピーカの音を聞きやすくすることができる。
【００１３】
請求項４の発明では、組付部材には、上記一面とにより構成されて導音口及び開口に連通する空間と他の内部空間との間とをシールするシール材が、当該一面との間に設けられる。これにより、組付部材に開口が形成されるためにその開口から水等が侵入する場合であっても、組付部材内のうち上記他の内部空間にて収容される電子部品等に対して防水性を確保することができる。
【図面の簡単な説明】
【００１４】
【図１】第１実施形態に係る携帯端末を示す側面図である。
【図２】図２（Ａ）は、図１の携帯端末の平面図であり、図２（Ｂ）は、図１の携帯端末の裏面図である。
【図３】図１の携帯端末から把持部及び無線通信部を取り外した本体部を示す側面図である。
【図４】図４（Ａ）は、図３の本体部の平面図であり、図４（Ｂ）は、図３の本体部の裏面図である。
【図５】図１の領域Ｘを拡大して一部断面にて示す一部拡大断面図である。
【図６】図６（Ａ）は、図１の電子装置の電気的構成を例示するブロック図であり、図６（Ｂ）は、図６（Ａ）の無線通信モジュール部を概略的に例示するブロック図であり、図６（Ｃ）は、図６（Ａ）の情報コード読取部を概略的に例示するブロック図である。
【図７】第１実施形態における導音部を説明するための説明図であり、図７（Ａ）は、平面図を示し、図７（Ｂ）は側面図を示す。
【図８】放音口に対して導音部が組み付けられた状態を説明する説明図である。
【図９】第１実施形態における把持部単体と導音部との位置関係を説明する説明図である。
【図１０】第２実施形態における把持部単体と導音部との位置関係を説明する説明図である。
【図１１】第２実施形態における導音部を説明するための説明図であり、図１１（Ａ）は、平面図を示し、図１１（Ｂ）は側面図を示す。
【発明を実施するための形態】
【００１５】
［第１実施形態］
以下、本発明に係る携帯端末を具現化した第１実施形態について、図面を参照して説明する。
本実施形態に係る携帯端末１０は、ユーザによって携帯されて様々な場所で所定の情報を読み取る情報読取装置として構成されており、アンテナ部を介して送受信される電波を媒介として無線タグ（ＲＦＩＤタグ）に記憶されている情報を読み取る無線タグリーダとしての機能に加えて、バーコードや二次元コードなどの情報コードを光学的に読み取る情報コードリーダとしての機能を兼ね備え、読み取りを二方式で行いうる構成となっている。
【００１６】
図１及び図２に示すように、携帯端末１０は、ＡＢＳ樹脂等の合成樹脂材料により形成される筐体によってその外郭が形成されており、本体部１１とこの本体部１１に組み付けられる把持部２０及び無線通信部３０を備えるように構成されている。本体部１１の表面１１ａには、所定の情報を入力する際に操作されるファンクションキー及びテンキー等のキー操作部４５の一部や、所定の情報を表示するための表示部４４等が配置されている。また、本体部１１の読取側（図１の左側）の端部には、情報コードからの反射光を取り込むための読取口１２が設けられている。
【００１７】
なお、携帯端末１０は、図３及び図４に示すように、把持部２０及び無線通信部３０を取り外した本体部１１単体でも、情報コードや無線タグを読み取り可能に構成されている。この構成では、図４（Ｂ）からわかるように、本体部１１の裏面１１ｂの中央近傍に設けられるスピーカ４７（後述する）の放音口１３が露出している。本体部１１は、放音口１３等に対して防水構造がとられており、把持部２０及び無線通信部３０が本体部１１に組み付けられた携帯端末１０だけでなく、本体部１１単体でも防水性を有している。
【００１８】
把持部２０は、本体部１１の裏面１１ｂの一部を覆うカバー１４を外した状態で、裏面１１ｂの中央部に対して、放音口１３や後述する導音部７０を覆うように組み付けられている。この把持部２０の外面には、裏面１１ｂ近傍であって無線通信部３０に対向する部位に、無線タグ等に対する読取処理を開始する際に操作されるトリガースイッチ４５ａが配置されている。そして、把持部２０の内部には、トリガースイッチ４５ａ用の基板や各種部品等が収容されている。また、図５に示すように、把持部２０の外面のうち、トリガースイッチ４５ａに対して逆になる位置、すなわち、把持部２０を把持するユーザに向かう位置には、開口２１が形成されている。この開口２１の詳細形状等については、後述する。なお、裏面１１ｂは、「一面」の一例に相当し、把持部２０は、「組付部材」の一例に相当し得る。
【００１９】
無線通信部３０は、送信電波の高出力化を図るためのものであって、読取口１２の下方に位置するように、本体部１１の裏面１１ｂの読取側に組み付けられている。この無線通信部３０は、その内部に後述する無線通信モジュール部５２の機能の一部が収容されるように構成されている。
【００２０】
次に、携帯端末１０の電気的構成について、図６（Ａ）〜（Ｃ）を参照して説明する。
本体部１１は、携帯端末１０全体を制御する制御部４１を備えている。この制御部４１は、マイコンを主体として構成されるものであり、ＣＰＵ、システムバス、入出力インタフェース等を有し、メモリ４２とともに情報処理装置を構成している。また、制御部４１には、図６（Ａ）に示すように、発光部４３、表示部４４、キー操作部４５、バイブレータ４６、スピーカ４７、外部インタフェース４８などが接続されている。
【００２１】
キー操作部４５は、トリガースイッチ４５ａやテンキー等を備えてその操作に応じた操作信号を制御部４１に対して与える構成をなしており、制御部４１は、この操作信号を受けて操作信号の内容に応じた動作を行う。発光部４３は、例えばＬＥＤであって、制御部４１による制御に応じて点灯・点滅するように構成されている。表示部４４は、公知の液晶ディスプレイ（ＬＣＤ）によって構成されており、制御部４１による制御に応じて表示内容が制御されるようになっている。バイブレータ４６は、携帯機器に搭載される公知のバイブレータによって構成されており、制御部４１による制御に応じて振動を発生させるように構成されている。スピーカ４７は、公知のスピーカによって構成されており、制御部４１による制御に応じて予め設定された音声やアラーム音等の所定の音を、放音口１３を介して放音（発音）するように構成されている。外部インタフェース４８は、外部機器等との間でのデータ通信を行うためのインタフェースとして構成されており、制御部４１と協働して通信処理を行う構成をなしている。また、本体部１１の筐体内には、電源部４９が設けられており、この電源部４９やバッテリ４９ａによって制御部４１や各種電気部品に電力が供給されるようになっている。
【００２２】
また、制御部４１には、無線通信モジュール部５２及び情報コード読取部６０が接続されている。
無線通信モジュール部５２は、アンテナ部５１及び制御部４１と協働して無線タグＴとの間で電磁波による通信を行ない、無線タグＴに記憶されるデータの読取り、或いは無線タグＴに対するデータの書込みを行なうように機能するものである。この無線通信モジュール部５２は、公知の電波方式で伝送を行うための回路素子等が実装された回路基板として構成されており、図６（Ｂ）にて概略的に示すように、送信回路５３、受信回路５４、整合回路５５などを有している。
【００２３】
送信回路５３は、キャリア発振器、符号化部、増幅器、送信部フィルタ、変調部などによって構成されており、キャリア発振器から所定の周波数のキャリア（搬送波）が出力される構成をなしている。また、符号化部は、制御部４１に接続されており、当該制御部４１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路５５を介してアンテナ部５１に出力している。このようにしてアンテナ部５１に送信信号が出力されると、その送信信号が送信電波として当該アンテナ部５１より外部に放射される。
【００２４】
一方、アンテナ部５１によって受信された応答信号は、整合回路５５を介して受信回路５４に入力される。この受信回路５４は、受信部フィルタ、増幅器、復調部、二値化処理部、複号化部などによって構成されており、アンテナ部５１を介して受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部４１に出力している。
【００２５】
情報コード読取部６０は、情報コードを光学的に読み取るように機能するもので、図６（Ｃ）に示すように、ＣＣＤエリアセンサ等からなる受光センサ６３、結像レンズ６２、複数個のＬＥＤやレンズ等から構成される照明部６１などを備えた構成をなしており、制御部４１と協働して読取対象Ｒに付された情報コードＣ（バーコードや二次元コード）を読み取るように機能する。
【００２６】
この情報コード読取部６０によって読み取りを行う場合、まず、制御部４１によって指令を受けた照明部６１から照明光Ｌｆが出射され、この照明光Ｌｆが読取口１２を通って読取対象Ｒに照射される。そして、照明光Ｌｆが情報コードＣにて反射した反射光Ｌｒは読取口１２を通って装置内に取り込まれ、結像レンズ６２を通って受光センサ６３に受光される。読取口１２と受光センサ６３との間に配される結像レンズ６２は、情報コードＣの像を受光センサ６３上に結像させる構成をなしており、受光センサ６３はこの情報コードＣの像に応じた受光信号を出力する。受光センサ６３から出力された受光信号は、画像データとしてメモリ４２に記憶され、情報コードＣに含まれる情報を取得するためのデコード処理に用いられるようになっている。なお、情報コード読取部６０には、受光センサ６３からの信号を増幅する増幅回路や、その増幅された信号をデジタル信号に変換するＡＤ変換回路等が設けられているがこれらの回路については図示を省略している。
【００２７】
次に、把持部２０の詳細形状等について、図５及び図７〜図９を参照して詳述する。
図５に示すように、把持部２０は、放音口１３に組み付けられる導音部７０を覆うように、本体部１１の裏面１１ｂに組み付けられている。
【００２８】
図７（Ａ）（Ｂ）に示すように、導音部７０は、基部７１及び天板部７２を備えている。基部７１は、例えば、ゴム材料等の弾性材料などにより構成されて、凹状の切欠き７１ａにて、放音口１３に対して裏面１１ｂに沿う３方向を覆うように形成されている（図８参照）。このため、切欠き７１ａは、放音口１３よりも大きくなるように形成されている。天板部７２は、合成樹脂等による矩形状の平板により構成されて、切欠き７１ａを上方から覆うように基部７１に対して接着等で固定されている。なお、導音部７０は、基部７１及び天板部７２が、弾性材料または合成樹脂等により一体となるように形成されてもよい。
【００２９】
このように構成される導音部７０は、図５及び図８に示すように、天板部７２が切欠き７１ａにより囲われる放音口１３に対向するように放音口１３の周囲の裏面１１ｂに組み付けられる。特に、導音部７０は、切欠き７１ａと天板部７２と裏面１１ｂとにより構成される開口は、（以下、導音口７３ともいう）が、放音口１３に連なる開口として把持部２０を把持するユーザに向かうように配置される。
【００３０】
図５に示すように、把持部２０に設けられる開口２１は、把持部２０を把持するユーザに向かうように配置されている。開口２１は、裏面１１ｂに沿う方向の長さ（幅）が裏面１１ｂに直交する方向の長さ（高さ）よりも長くなるように長方形状に形成されている。このように開口２１が配置されることで、把持部２０が裏面１１ｂに組み付けられたとき、開口２１は、導音口７３に対向する。ここで、開口と導音口との対向とは、開口及び導音口が面と向かうことで開口を介して導音口の少なくとも一部を視認できるような位置関係だけでなく、導音口から裏面１１ｂに沿うように放出された音がほとんど反響することなく開口から放出されるような開口及び導音口の位置関係も含むものとする。このため、放音口１３を介するスピーカ４７からの音は、裏面１１ｂに沿って導音口７３及び開口２１を介してユーザに向かうように導かれることとなる（図５の矢印Ｆ１参照）。
【００３１】
図９からわかるように、把持部２０の上部と裏面１１ｂ及び導音部７０との間には、防水性を有するシール材２２が設けられている。このシール材２２は、把持部２０の上部に設けられるリブ２３等と裏面１１ｂ及び導音部７０とにより構成されて導音口７３及び開口２１に連通する空間（以下、導音空間Ｓ１ともいう）と、上述したトリガースイッチ４５ａ用の基板を含めた電子部品等が収容される把持部２０の他の内部空間（以下、内部空間Ｓ２ともいう）との間とをシールするように環状に配置されている。なお、図９では、便宜上、内部空間Ｓ２に収容される電子部品等の図示を省略している。
【００３２】
以上説明したように、本実施形態に係る携帯端末１０では、スピーカ４７の放音口１３に対して、当該スピーカ４７からの音を当該放音口１３が形成される裏面１１ｂに沿う方向に導く導音口７３が形成される導音部７０が組み付けられており、この導音部７０を覆うように裏面１１ｂに対して組み付けられる把持部２０には、導音口７３に対向する開口２１が形成されている。
【００３３】
これにより、スピーカ４７の放音口１３が形成される裏面１１ｂに把持部２０を組み付ける場合でも、スピーカ４７からの音は、導音部７０の導音口７３及び把持部２０の開口２１を介して裏面１１ｂに沿うように放出されるので、把持部２０を把持するユーザに対して、把持部２０が邪魔になることもなく、スピーカ４７の音を聞きやすくすることができる。
【００３４】
特に、把持部２０には、裏面１１ｂとにより構成されて導音口７３及び開口２１に連通する導音空間Ｓ１と内部空間Ｓ２との間とをシールするシール材２２が、当該裏面１１ｂ及び導音部７０との間に設けられる。これにより、把持部２０に開口２１が形成されるためにその開口２１から水等が侵入する場合であっても、把持部２０内のうち上記内部空間Ｓ２にて収容される電子部品等に対して防水性を確保することができる。
【００３５】
［第２実施形態］
次に、本発明の第２実施形態に係る携帯端末について、図１０及び図１１を用いて説明する。
本第２実施形態では、スピーカ４７からの音が本体部１１の裏面１１ｂに沿い複数の方向に放出される点が主に上記第１実施形態と異なる。このため、第１実施形態と実質的に同様の構成部分には同一符号を付して説明を省略する。
【００３６】
本実施形態では、図１０に示すように、上述した把持部２０及び導音部７０に代えて、把持部２０ａ及び導音部７０ａが採用されている。導音部７０ａは、図１０及び図１１に示すように、２つの長手状の基部７４ａ，７４ｂが放音口１３を介して平行に対向するように天板部７２に対して固定されて構成されている。このように構成される導音部７０ａは、本体部１１の裏面１１ｂに対して、基部７４ａ及び基部７４ｂが放音口１３を介したユーザ側及び読取口１２側にて対向するように裏面１１ｂに組み付けられる。なお、基部７４ａ及び基部７４ｂは、基部７１と同様にゴム材料等の弾性材料などにより構成されてもよいし、所定の厚さの両面テープ等により構成されてもよい。また、導音部７０ａは、基部７４ａ及び基部７４ｂと天板部７２とが、弾性材料または合成樹脂等により一体となるように形成されてもよい。
【００３７】
このため、導音部７０ａは、基部７４ａ及び基部７４ｂと天板部７２と裏面１１ｂとにより構成される２つの導音口７３ａ，７３ｂが、基部７４ａ及び基部７４ｂの長手方向にて対向するように配置される。
【００３８】
そして、把持部２０ａには、２つの開口２１ａ，２１ｂが設けられており、裏面１１ｂへの組み付け時に、開口２１ａは導音口７３ａに対向し、開口２１ｂは導音口７３ｂに対向するように配置されている。
【００３９】
そうすると、放音口１３を介するスピーカ４７からの音は、裏面１１ｂに沿って導音口７３ａ及び開口２１ａを介して放出されるとともに（図１０の矢印Ｆ２ａ参照）、裏面１１ｂに沿って導音口７３ｂ及び開口２１ｂを介して放出される（図１０の矢印Ｆ２ｂ参照）。
【００４０】
このように、本実施形態に係る携帯端末１０では、導音部７０ａには、２つの導音口７３ａ，７３ｂが形成され、把持部２０ａには、両導音口７３ａ，７３ｂにそれぞれ対向して２つの開口２１ａ，２１ｂが形成される。これにより、スピーカ４７からの音を裏面１１ｂに沿いそれぞれの導音口７３ａ，７３ｂ及び開口２１ａ，２１ｂを介して逆方向に放出する場合であっても、把持部２０ａが邪魔になることもなくスピーカ４７の音を聞きやすくすることができ、放音方向に関して利便性を向上させることができる。
【００４１】
なお、本実施形態に係る導音部は、導音部７０ａのようにスピーカ４７からの音を裏面１１ｂに沿い逆方向に放出するように構成されることに限らず、例えば、上記逆方向にユーザ方向を加えた３方向等、複数方向に放出するように構成されてもよい。すなわち、導音部７０ａには、導音口（７３ａ，７３ｂ等）を複数形成して、把持部２０ａには、複数の導音口にそれぞれ対向して開口（２１ａ，２１ｂ等）を複数形成することができる。このようにしても、スピーカ４７からの音を裏面１１ｂに沿いそれぞれの導音口及び開口を介して複数の方向に放出する場合には、把持部２０ａが邪魔になることもなくスピーカ４７の音を聞きやすくすることができ、放音方向に関して利便性を向上させることができる。
【００４２】
なお、本発明は上記各実施形態に限定されるものではなく、例えば、以下のように具体化してもよい。
（１）本発明は、放音口１３が形成される裏面１１ｂに対して、組付部材として比較的大きくなりやすい把持部２０，２０ａを組み付ける構成に適用されることに限らず、大容量バッテリや衝撃緩和プロテクタ等の他の組付部材を組み付ける構成に適用されてもよい。この他の組付部材や把持部２０，２０ａは、裏面１１ｂに対して着脱可能に構成することができる。この場合でも、放音口１３に対してスピーカ４７からの音を導音口７３，７３ａ，７３ｂにて裏面１１ｂに沿う方向に導くように組み付けられる導音部７０，７０ａを覆うように他の組付部材を組み付けた際に、その他の組付部材に設けられる開口を導音口７３，７３ａ，７３ｂに対向するように配置することで、上述したようにユーザに対してスピーカ４７の音を聞きやすくすることができる。
【００４３】
また、上述のように組付部材が組み付けられる携帯端末１０は、無線タグリーダとしての機能及び情報コードリーダとしての機能を兼ね備えるように構成されることに限らず、どちらか一方の機能を備えるように構成されてもよいし、他の機能を兼備するように構成されてもよい。このようにしても、上述のように導音部を覆うように組み付けられる組付部材に導音口に対向する開口を形成することで、スピーカの放音口が形成される一面に組付部材を組み付ける場合でも、組付部材が邪魔になることもなく、スピーカの音を聞きやすくすることができる。
【００４４】
（２）上記第１実施形態において、把持部２０及び導音部７０は、スピーカ４７からの音が把持部２０を把持するユーザに向けて放出されるように形成されることに限らず、その利用環境等に応じた所定の方向に向けて放出されるように形成されてもよい。この場合、導音口７３が上記所定の方向に向かうように導音部７０が裏面１１ｂに組み付けられ、この導音口７３に対向するように把持部２０に開口２１が形成される。
【符号の説明】
【００４５】
１０…携帯端末
１１…本体部
１１ｂ…裏面（一面）
１３…放音口
２０，２０ａ…把持部（組付部材）
２１，２１ａ，２１ｂ…開口
７０，７０ａ…導音部
４７…スピーカ
７３，７３ａ，７３ｂ…導音口
【図１】
2018011165.tif 000003
【図２】
2018011165.tif 000004
【図３】
2018011165.tif 000005
【図４】
2018011165.tif 000006
【図５】
2018011165.tif 000007
【図６】
2018011165.tif 000008
【図７】
2018011165.tif 000009
【図８】
2018011165.tif 000010
【図９】
2018011165.tif 000011
【図１０】
2018011165.tif 000012
【図１１】
2018011165.tif 000013